(57)【特許請求の範囲】
【請求項１】
顧客の購入代金を計算し、かつ当該計算結果に顧客のコード情報を付加し、当該計算結果及び顧客のコード情報が記載されたレシートを出力するレジスタと、
当該レジスタから送信される購入代金のデータ及び上記コード情報に基づいて、上記コード情報毎に上記各購入代金のデータ及び当該計算された購入代金の計算結果を自動的に家計簿に加工し格納するサーバと、を備え、
前記サーバは、当該サーバと通信可能な端末であって上記レシートから上記顧客のコード情報を読み取る端末から送信された上記コード情報を参照して、該当する上記家計簿を上記端末に送信することを特徴とする購入情報伝達システム。
【請求項２】
前記サーバは、上記家計簿を上記端末に送信するとき、上記購入金額のポイント情報を上記家計簿に付加する請求項１記載の購入情報伝達システム。
【請求項３】
入力された顧客の購入代金を計算し、かつ当該計算結果に顧客のコード情報を付加し、当該計算結果及び顧客のコード情報が記載されたレシートを出力するステップと、
上記購入代金のデータ及び上記コード情報をサーバに送信するステップと、
前記サーバは、受信した上記購入代金のデータ及び上記コード情報に基づいて、上記コード情報毎に上記各購入代金のデータ及び当該計算された購入代金の計算結果を自動的に家計簿に加工し格納するステップと、
更に、前記サーバは、当該サーバと通信可能な端末であって上記レシートから上記顧客のコード情報を読み取る端末から送信された上記コード情報を参照して、該当する上記家計簿を返信するステップと、を備えることを特徴とする購入情報伝達方法。
【請求項４】
上記家計簿を上記端末に返信するステップにて、上記購入金額のポイント情報を上記家計簿に付加する請求項３記載の購入情報伝達方法。
【発明の詳細な説明】
【０００１】
本発明は、顧客の購入した情報を顧客自身が入力することなく、自動的に顧客の端末装置に取り込む購入情報伝達システム及び購入情報伝達方法に関する。
【０００２】
【従来の技術】
一般にパーソナルコンピュータ等の端末装置を持つ顧客が家計簿管理を行う場合は、商店等のレジスタで発行されたレシートを保管し、その都度または一括して前記レシートに基き商品や金額の情報を端末装置に自ら入力するものであった。
【０００３】
【発明が解決しようとする課題】
このように顧客自身が直接に端末装置に入力するには、顧客にとってレシートの保管管理、正確な入力操作の要求等でかなりの負担を感じるものであり、時には不正確な管理になってしまう場合もあった。
【０００４】
本発明は、上記従来の課題を解決するものであり、顧客に負担を感じさせるほどの手を煩わせること無く、サーバから自動的に購入データを取り込むようにした購入情報伝達システムを提供するものである。
【０００５】
上記課題を解決するために本発明の購入情報伝達システムでは、顧客の購入代金を計算し、かつ当該計算結果に顧客のコード情報を付加し、当該計算結果及び顧客のコード情報が記載されたレシートを出力するレジスタと、当該レジスタから送信される購入代金のデータ及び上記コード情報に基づいて、上記コード情報毎に上記各購入代金のデータ及び当該計算された購入代金の計算結果を自動的に家計簿に加工し格納するサーバと、を備え、前記サーバは、当該サーバと通信可能な端末であって上記レシートから上記顧客のコード情報を読み取る端末から送信された上記コード情報を参照して、該当する上記家計簿を上記端末に送信するように構成されている。
【０００６】
上記構成において、サーバは、顧客の購入代金とコード情報とを受信することにより自動的に顧客毎に家計簿を作成して格納する。また、サーバは、顧客のコード情報を受信することにより該当する家計簿を送信する。
【０００７】
また、上記課題を解決するために本発明の購入情報伝達方法は、入力された顧客の購入代金を計算し、かつ当該計算結果に顧客のコード情報を付加し、当該計算結果及び顧客のコード情報が記載されたレシートを出力するステップと、上記購入代金のデータ及び上記コード情報をサーバに送信するステップと、前記サーバは、受信した上記購入代金のデータ及び上記コード情報に基づいて、上記コード情報毎に上記各購入代金のデータ及び当該計算された購入代金の計算結果を自動的に家計簿に加工し格納するステップと、更に、前記サーバは、当該サーバと通信可能な端末であって上記レシートから上記顧客のコード情報を読み取る端末から送信された上記コード情報を参照して、該当する上記家計簿を返信するステップと、を備えて構成されている。
【０００８】
上記構成において、サーバは、顧客の購入代金とコード情報とを受信することにより自動的に顧客毎に家計簿を作成して格納する。また、サーバは、顧客のコード情報を受信することにより該当する家計簿を送信する。
【００１３】
【発明の実施の形態】
以下本発明の購入情報伝達システムにつき、図１〜図３に従い説明する。
【００１４】
（実施の形態１）
図１は、本発明の請求項１に記載の発明に対応する一実施例における購入情報伝達システムの構成図である。商店等に設置されたレジスタ１は、顧客との取引終了後に購入代金を計算し、かつ顧客のコード情報２ａを付加したレシート２を発行するとともに、前記購入代金のデータおよびコード情報を送信する通信機能を有する。前記レシート２に付加されたコード情報２ａは例えば、取引毎にユニークなキー情報が、バーコードで印刷されているものである。
【００１５】
サーバ３は、有線または無線でレジスタ１と接続されて前記レジスタ１から送信される購入情報である、少なくとも商品名、購入代金のデータとコード情報２ａを格納する格納部４および、顧客のコード情報２ａに基く前記データの引出し要求を受信すると格納部４のデータを検索する機能と、要求する顧客宛に前記データとコード情報２ａの送受信を行う通信ポート（図示せず）を有している。
【００１６】
顧客の持つパーソナルコンピュータ等の端末装置５は、電話回線等の中継回線でサーバ３と接続可能に構成され、かつレシート２のコード情報２ａを少なくとも読取れる機能としてバーコードリーダ６を接続している。また、端末装置５は、前記レシート２に付加されたコード情報２ａを読取ると、商品毎の購入代金のデータを取り込んで家計簿ソフトに基く家計簿を作成するため、顧客のコード情報２ａを送信して前記サーバ３に対して前記データの引出し要求を行う機能を備えている。
【００１７】
上記実施の形態において、買い物をした顧客は、購入代金の支払と同時にレジスタ１が発行したレシート２を受領する。このレシート２には、商品名、購入代金以外に顧客自身のコード情報２ａが印刷されている。そして、顧客はこのレシート２を持ちかえり、端末装置５のバーコードリーダ６によりレシート２のコード情報２ａを読取らせる。
【００１８】
端末装置５は、読取ったコード情報をサーバ３に送信する。サーバ３は、端末装置５から送信されたコード情報２ａを確認して商品名、購入代金のデータおよびコード情報２ａを格納部４から検索して取りだし、要求のあった端末装置５に送信するものである。端末装置５はサーバ３から取り込んだ前記データに基き家計簿ソフトで家計簿を作成するものである。
【００１９】
このように本実施の形態では、買い物をした時に受領したレシート２を端末装置５のバーコードリーダ６に読取らせるだけで、後は端末装置５が購入代金のデータを得るため、自動的にコード情報２ａに基きサーバ３に対して購入代金のデータの引出し要求を行って前記データを取り込むものであるから、顧客に負担を感じさせるほどの手を煩わせることなく端末装置５にデータの入力を行え、正確で迅速にできるものである。
【００２０】
（実施の形態２）
図２は、本発明の請求項２に記載の発明に対応する一実施例における購入情報伝達システムの構成図である。商店等に設置されたレジスタ１１は、顧客との取引終了後に購入代金を計算し、かつ顧客のコード情報を付加し、一方前記購入代金のデータおよびコード情報をサーバ１４に送信する通信機能を有するとともに、内蔵または外付し、顧客の非接触型情報担体１３に前記購入代金のデータと前記コード情報を書き込む非接触型リーダ／ライタ１２を有している。
【００２１】
すなわち、取引終了時に非接触型情報担体１３を非接触型リーダ／ライタ１２のアクセス可能エリアに置くことで取引毎に商品名、購入代金のデータとコード情報が非接触型情報担体１３に書き込まれる。前記非接触型情報担体１３に書き込まれたコード情報は例えば、取引毎にユニークなキー情報が、書き込まれているものである。
【００２２】
サーバ１４は、有線または無線でレジスタ１１と接続されて前記レジスタ１１から送信される購入情報である、少なくとも商品名、購入代金のデータとコード情報を格納する格納部１５および、顧客のコード情報に基く前記データの引出し要求を受信すると格納部１５のデータを検索する機能と、要求する顧客宛に前記データとコード情報の送受信を行う通信ポート（図示せず）を有している。
【００２３】
顧客の持つパーソナルコンピュータ等の端末装置１６は、電話回線等の中継回線でサーバ１４と接続可能に構成され、かつ非接触型情報担体１３に書き込まれたコード情報を少なくとも読取れる非接触型機器としての非接触型リーダ１７を内蔵または外付している。また、端末装置１６は、前記非接触型情報担体１３に付加されたコード情報を読取ると、商品毎の購入代金のデータを取り込んで家計簿ソフトに基く家計簿を作成するため、顧客のコード情報を送信して前記サーバ１４に対して前記データの引出し要求を行う機能を備えている。
【００２４】
上記実施の形態において、買い物をした顧客は、レジスタ１１の計算した購入代金の支払と同時に非接触型リーダ／ライタ１２のアクセス可能エリアに置いて取引毎に商品名、購入代金のデータとコード情報が書き込まれた非接触型情報担体１３を受領する。そして、顧客はこの非接触型情報担体１３を持ちかえり、端末装置１６の非接触型リーダ１７により非接触型情報担体１３からコード情報を読取らせる。
【００２５】
端末装置１６は、読取ったコード情報をサーバ１４に送信する。サーバ１４は、端末装置１６から送信されたコード情報を確認して商品名、購入代金のデータおよびコード情報を格納部１５から検索して取りだし、要求のあった端末装置１６に送信するものである。端末装置１６はサーバ１４から取り込んだ前記データに基き家計簿ソフトで家計簿を作成するものである。
【００２６】
このように本実施の形態では、買い物をした時に受領した非接触型情報担体１３を端末装置１６の非接触型リーダ１７に読取らせるだけで、後は端末装置１６が購入代金のデータを得るため、自動的にコード情報に基きサーバ１４に対して購入代金のデータの引出し要求を行って前記データを取り込むものであるから、顧客に負担を感じさせるほどの手を煩わせることなく端末装置１６にデータの入力を行え、正確で迅速にできるものである。
【００２７】
（実施の形態３）
図３は、本発明の請求項３に記載の発明に対応する一実施例における購入情報伝達システムの構成図である。レジスタ２５は顧客の購入代金を計算し、かつ顧客のコード情報を付加するとともに、前記購入代金のデータおよびコード情報をサーバ２１に送信する通信機能を有する。サーバ２１は有線または無線でレジスタ２５と接続されて前記レジスタ２５から送信される購入情報である、少なくとも商品名、購入代金のデータとコード情報に基き、前記コード情報毎に前記データを表示イメージの家計簿２３に加工する機能を有し、かつ商品名、購入代金のデータとコード情報および前記加工した家計簿２３を格納する格納部２２および、顧客のコード情報に基く前記家計簿２３の引出し要求を受信すると格納部２２のデータを検索し、要求する顧客宛に前記家計簿２３とコード情報の送受信を行う通信ポート（図示せず）を有している。
【００２８】
端末装置２４は、前記サーバ２１に対してコード情報に基き前記家計簿２３の引出し要求を行うもので、記憶装置等を有していない少なくとも簡易な表示機能のみの携帯情報端末や携帯電話等の簡易端末装置である。
【００２９】
上記実施の形態において、サーバ２１は顧客が商品を購入する毎に顧客毎の購入代金に関するデータを家計簿に加工して格納している。一方、顧客は携帯の端末装置２４で必要な時に家計簿２３を表示して確認をすることができる。
【００３０】
このように本実施の形態では、サーバ２１によって商品を購入する毎に顧客毎の家計簿が加工されているので、端末装置２４さえ持っておれば常に家計簿のサービスを受けられる利点を有するとともに、高機能の端末装置と家計簿ソフトを用いなくても安価に家計簿の管理を可能にすることができる。
【００３１】
なお、上記実施の形態１および２では、レシート２には取引毎にコード情報２ａのみを印刷したが、更に人間の認識可能な文字でコード情報を併記しておけば、端末装置５のバーコードリーダ６、非接触型リーダ１７でコード情報２ａを、何らかの原因で一時的に読取りができなくなった場合でも、端末装置５、１６のキーボードから直接にコード情報を入力できて購入データを通常通り取り込むことができ、より安全が増して一層使い勝手を向上できる。
【００３２】
また、上記各実施の形態ではサーバから端末装置に送信する取引情報として購入データ、または家計簿だけであるが、更に商店側のサーバで管理している顧客の購入金額によるポイント情報や販促情報等を付加して送信する構成にすれば、顧客側は常に家計に有利な情報が得られ、また販売側では顧客への適切な訴求も可能になり極めて有益なシステムにできる。
【００３３】
【発明の効果】
以上のように本発明は、端末装置で家計簿ソフトに基き家計簿を作成する際に、購入情報を手入力する手間が省けるとともに、入力ミスの発生しない正確で迅速な作業を行うことができる。
【００３４】
また、本発明では端末装置の家計簿ソフトを必要としないので、簡易な表示機能のみの携帯情報端末や携帯電話でも家計簿のサービスを受けることができる。
【図面の簡単な説明】
【図１】本発明の実施の形態１における購入情報伝達システムの構成図
【図２】同実施の形態２における購入情報伝達システムの構成図
【図３】同実施の形態３における購入情報伝達システムの構成図
【符号の説明】
１、１１、２５  レジスタ
２    レシート
２ａ  コード情報
３、１４、２１  サーバ
４、１５、２２  格納部
５、１６、２４  端末装置
６    バーコードリーダ
１２  非接触型リーダ／ライタ
１３  非接触型情報担体
１７  非接触型リーダ（非接触型機器）
２３  家計簿
【図１】
0003763269.tif 000002
【図２】
0003763269.tif 000003
【図３】
0003763269.tif 000004